(57)【要約】【課題】  既設のネットワークにＩＰ電話機を、新規に設置することが容易であるＩＰ電話機を提供することを目的とする。【解決手段】  第１のネットワークインタフェース部から受信したＩＰパケットを、ＩＰ電話機用トラヒックとその他のトラヒックとに分離し、この分離されたＩＰ電話機用トラヒック、その他のトラヒックを、それぞれ、ＩＰ電話機機能部、第２のネットワークインタフェース部に送信し、また、上記ＩＰ電話機機能部から受信したＩＰ電話機用トラヒックと上記第２のネットワークインタフェース部から受信したトラヒックとを多重化し、上記第１のネットワークインタフェース部に送信するトラヒック多重分離部を設け、上記トラヒック多重分離部は、上記第１のネットワークインタフェース部のネットワークアドレスを、上記ネットワークから取得するＩＰ電話機である。【選択図】  図１
2005151058.tif 000002
【特許請求の範囲】
【請求項１】
ネットワークに接続され、上記ネットワークとの通信を制御する第１のネットワークインタフェース部と；
ネットワーク機器を接続し、上記ネットワーク機器との通信を制御する第２のネットワークインタフェース部と；
ＩＰ電話機としての機能を実現するＩＰ電話機機能部と；
上記第１のネットワークインタフェース部を介して、上記ネットワークから受信したＩＰパケットを、ＩＰ電話機用トラヒックとその他のトラヒックとに分離し、この分離されたＩＰ電話機用トラヒックを、上記ＩＰ電話機機能部に送信し、上記その他のトラヒックを、上記第２のネットワークインタフェース部に送信し、一方、上記ＩＰ電話機機能部から受信したＩＰ電話機用トラヒックと、上記第２のネットワークインタフェース部から受信したトラヒックとを多重化し、上記第１のネットワークインタフェース部を介して、上記ネットワークに送信するトラヒック多重分離部と；
を有し、上記トラヒック多重分離部は、上記第１のネットワークインタフェース部におけるネットワークアドレスを、上記ネットワークから取得することを特徴とするＩＰ電話機。
【請求項２】
請求項１において、
上記トラヒック多重分離部は、上記ネットワーク機器から、ネットワークアドレスの取得要求を受信すると、上記第１のネットワークインタフェース部のネットワークアドレスを、上記ネットワーク機器のネットワークアドレスとして通知することを特徴とするＩＰ電話機。
【請求項３】
請求項１または請求項２において、
上記トラヒック多重分離部は、上記ＩＰ電話機用トラヒックを優先的に処理することを特徴とするＩＰ電話機。
【発明の詳細な説明】
【技術分野】
【０００１】
本発明は、ＩＰネットワークを介して、音声通信を行うＩＰ電話器に関する。
【背景技術】
【０００２】
近年、ＩＰ（Internet Protocol）パケットに音声データを乗せて送受信し、ＩＰネットワークを介して、音声通信するＩＰ電話システムが実用化されている（たとえば、特許文献１参照）。
【特許文献１】特開２００３−２２９９１５号公報
【発明の開示】
【発明が解決しようとする課題】
【０００３】
このようなＩＰ電話システムで使われるＩＰ電話機は、ＩＰネットワークを介して、通信するので、ＩＰアドレスを付与する必要がある。
【０００４】
しかし、既設のＬＡＮ（Local Area Network）に、新規にＩＰ電話機を設置する場合、ネットワークのアドレス設計をやり直さなければならない。
【０００５】
つまり、上記従来例において、既設のＬＡＮに、ＩＰ電話機を新規に設置することが容易ではないという問題がある。
【０００６】
本発明は、既設のネットワークにＩＰ電話機を、新規に設置することが容易であるＩＰ電話機を提供することを目的とする。
【課題を解決するための手段】
【０００７】
本発明は、第１のネットワークインタフェース部から受信したＩＰパケットを、ＩＰ電話機用トラヒックとその他のトラヒックとに分離し、この分離されたＩＰ電話機用トラヒック、その他のトラヒックを、それぞれ、ＩＰ電話機機能部、第２のネットワークインタフェース部に送信し、また、上記ＩＰ電話機機能部から受信したＩＰ電話機用トラヒックと上記第２のネットワークインタフェース部から受信したトラヒックとを多重化し、上記第１のネットワークインタフェース部に送信するトラヒック多重分離部を設け、上記トラヒック多重分離部は、上記第１のネットワークインタフェース部のネットワークアドレスを、上記ネットワークから取得するＩＰ電話機である。
【発明の効果】
【０００８】
本発明によれば、既設のネットワークにＩＰ電話機を新規に設置することが容易であるという効果を奏する。
【発明を実施するための最良の形態】
【０００９】
発明を実施するための最良の形態は、以下の実施例である。
【実施例１】
【００１０】
図１は、本発明の実施例１であるＩＰ電話機１０を示す図である。
【００１１】
ＩＰ電話機１０は、ＬＡＮ２０と、ＰＣ（パーソナルコンピュータ）３０との間に接続されている。ＬＡＮ２０は、ネットワークの例であり、ＰＣ３０は、ネットワーク機器の例である。
【００１２】
ＩＰ電話機１０は、第１のＬＡＮインタフェース部１１と、第２のＬＡＮインタフェース部１２と、ＩＰ電話機機能部１３と、トラヒック多重分離部１４とを有する。
【００１３】
第１のＬＡＮインタフェース部１１は、ＬＡＮ２０との間における通信を制御するものの例である。
【００１４】
第２のＬＡＮインタフェース部１２は、ＰＣ３０との通信を制御するものであり、つまり、ネットワーク機器に接続され、この接続されたネットワーク機器との通信を制御するものの例である。
【００１５】
ＩＰ電話機機能部１３は、ＩＰ電話機１０としての各種機能を実現する。ＩＰ電話機としての各種機能として、呼制御機能、音声信号符号化・復号化機能、音声パケット処理機能、ＩＰパケット処理機能、マイク、スピーカ機能、ダイヤルキー検出を行うユーザインタフェース機能等である。
【００１６】
トラヒック多重分離部１４は、第１のＬＡＮインタフェース部１１を介して、ＬＡＮ２０から受信したＩＰパケットを、ＩＰ電話機用トラヒックとその他のトラヒックとに分離し、分離されたＩＰ電話機用トラヒックを、ＩＰ電話機機能部１３に送信し、分離された上記他のトラヒックを、第２のＬＡＮインタフェース部１２に送信する。つまり、分離された上記その他のトラヒックを、第２のＬＡＮインタフェース部１２を介して、ＰＣ３０に送信する。
【００１７】
また、トラヒック多重分離部１４は、ＩＰ電話機機能部１３から受信したＩＰ電話機用トラヒックと、第２のＬＡＮインタフェース部１２から受信した上記その他のトラヒックとを、多重化し、第１のＬＡＮインタフェース部１１に送信する。
【００１８】
さらに、トラヒック多重分離部１４は、ＬＡＮ２０側からＩＰアドレスを取得する機能を有し、初期設定時に、ＬＡＮ２０側からＩＰアドレスを取得することが予め選択されていると、ＬＡＮ２０上に存在しているＤＨＣＰ（Dynamic Host Configuration Protocol）サーバに、トラヒック多重分離部１４が、ＩＰアドレスの割り当てを要求し、この要求に応じて取得したＩＰアドレスを、第１のＬＡＮインタフェース部１１のＩＰアドレスとして記憶し、その後、上記取得したＩＰアドレスを使用する。
【００１９】
また、トラヒック多重分離部１４は、ＩＰアドレスの取得要求を、ＰＣ３０から受信した場合、ＤＨＣＰサーバを疑似し、第１のＬＡＮインタフェース部１１のＩＰアドレスを割り当て、ＰＣ３０に通知する。この場合、ＰＣ３０は、ＩＰ電話機１０を、ＬＡＮ２０の一部であるとして扱い、動作する。
【００２０】
つまり、トラヒック多重分離部１４は、ネットワーク機器から、ネットワークアドレスの取得要求を受信すると、第１のネットワークインタフェース部のネットワークアドレスを、ネットワーク機器のネットワークアドレスとして通知するトラヒック多重分離部の例である。
【００２１】
なお、第１のＬＡＮインタフェース部１１のＩＰアドレス、ＰＣ３０のＩＰアドレスを予め設定する場合、第１のＬＡＮインタフェース部１１のＩＰアドレスと、ＰＣ３０のＩＰアドレスとが同じになるように、ＩＰアドレスを設定すればよい。なお、ＰＣ３０のＩＰアドレスを、ＰＣ３０に設定する。
【００２２】
さらに、トラヒック多重分離部１４は、ＩＰ電話機用トラヒックを、他のトラフィックよりも、優先的に処理する。この優先的処理を行う場合、たとえば、トラヒック多重分離部１４への入力ポート位置に基づいて、優先判定を行う。つまり、ＩＰ電話機機能部１３に接続されている入力ポートと、第２のＬＡＮインタフェース部１２に接続されている入力ポートとに、同時にトラヒック（データ）が到着した際、前者（ＩＰ電話機機能部１３に接続されている入力ポート）からのトラヒックを優先的に、ＬＡＮインタフェース部１１に出力する。
【００２３】
そして、トラヒック多重分離部１４は、第２のＬＡＮインタフェース部１２に接続されているＰＣ３０からのＩＰアドレス取得要求に応答して、第１のＬＡＮインタフェース部１１のＩＰアドレスを通知する。
【００２４】
次に、上記実施例の動作について説明する。
【００２５】
ＩＰ電話機１０において、ＬＡＮ２０から受信したパケットのうちで、ＩＰ電話機用のパケットは、ＩＰ電話機機能部１３で処理され、ＬＡＮ２０から受信したパケットのうちで、ＩＰ電話機と関係のないパケット（上記その他のパケット）は、第２のＬＡＮインタフェース部１２を介して、ＰＣ３０に転送される。
【００２６】
具体的には、第１のＬＡＮインタフェース部１１が、ＬＡＮ２０からＩＰパケットを受信すると、第１のＬＡＮインタフェース部１１は、受信したパケットを、所定のフォーマットにした後に、トラヒック多重分離部１４に送信する。
【００２７】
トラヒック多重分離部１４は、第１のＬＡＮインタフェース部１１からＩＰパケットを受信すると、受信したＩＰパケットに含まれているＵＤＰ（User Datagram Protocol）ヘッダにおける宛先ポート番号を参照し、予め設定されているＩＰ電話機用のポート番号と一致するかどうかを判定する。
【００２８】
ここで、ＵＤＰヘッダにおける宛先ポート番号が、予め設定されているＩＰ電話機用のポート番号と一致すれば、トラヒック多重分離部１４は、このＩＰパケットはＩＰ電話機用であると判断し、第１のＬＡＮインタフェース部１１から受信したＩＰパケットを、ＩＰ電話機機能部１３に送信する。
【００２９】
逆に、ＵＤＰヘッダにおける宛先ポート番号が、予め設定されているＩＰ電話機用のポート番号と一致しなければ、トラヒック多重分離部１４は、このＩＰパケットは、ＩＰ電話機用ではないと判断し、第１のＬＡＮインタフェース部１１から受信したＩＰパケットを、第２のＬＡＮインタフェース部１２を介して、ＰＣ３０に送信する。
【００３０】
次に、ＩＰ電話機機能部１３が、ＩＰパケットの送信要求を発生すると、トラヒック多重分離部１４は、第１のＬＡＮインタフェース部１１を介して、当該ＩＰパケットをそのまま、ＬＡＮ２０側に送信する。
【００３１】
一方、第２のＬＡＮインタフェース部１２から、トラヒック多重分離部１４が、ＩＰパケットを受信すると、トラヒック多重分離部１４は、この受信したＩＰパケットのＵＤＰヘッダにおける送信元ポート番号を参照し、この参照した送信元ポート番号が、予め設定されているＩＰ電話機用ポート番号と一致するかどうかを判定する。この場合、第２のＬＡＮインタフェース部１２から受信したＩＰパケットのＵＤＰヘッダにおける送信元ポート番号が、予め設定されているＩＰ電話機用のポート番号と異なれば、トラヒック多重分離部１４は、第１のＬＡＮインタフェース部１１を介して、このＩＰパケットをそのまま、ＬＡＮ２０側に送信する。
【００３２】
逆に、第２のＬＡＮインタフェース部１２から受信したＩＰパケットのＵＤＰヘッダにおける送信元ポート番号が、予め設定されているＩＰ電話機用のポート番号と一致すれば、トラヒック多重分離部１４は、ポート番号を、予め設定されているポート番号（ＩＰ電話機用のポート番号として予め設定されているポート番号とは異なるポート番号）に変換する。つまり、上記のように両ポート番号が互いに一致した場合、第２のＬＡＮインタフェース部１２から受信したＩＰパケットをそのままＬＡＮ２０に送信すると、第２のＬＡＮインタフェース部１２から受信したＩＰパケットと、ＩＰ電話機用のＩＰパケットとが混同し、この混同を防止するために、トラヒック多重分離部１４は、ポート番号を、予め設定されているポート番号（ＩＰ電話機用のポート番号として予め設定されているポート番号とは異なるポート番号）に変換し、変換前後のポート番号の対応を記憶し、送信元ポート番号を、変換後のポート番号に変更したＩＰパケットを、第１のＬＡＮインタフェース部１１を介して、ＬＡＮ２０に送信する。
【００３３】
その後、第１のＬＡＮインタフェース部１１からＩＰパケットを受信すると、トラヒック多重分離部１４は、受信したＩＰパケットのＵＤＰヘッダにおける宛先ポート番号判定時に記憶した変換後のポート番号と、宛先ポート番号とが一致しているかどうかを判定し、両ポート番号が互いに一致していれば、宛先ポート番号を、対応する変換前のポート番号に変更し、第２のＬＡＮインタフェース部１２を介して、ＰＣ３０に送信する。
【００３４】
上記実施例によれば、第１のＬＡＮインタフェース部１１から受信したＩＰパケットを、トラヒック多重分離部１４が、ＩＰ電話機用とそれ以外とに分け、ＩＰ電話機用のＩＰパケットを、ＩＰ電話機機能部１３で処理し、その他のＩＰパケットを、第２のＬＡＮインタフェース部１２に接続されているＰＣ３０に送信するので、既設のＬＡＮ２０に接続されているＰＣ３０と、ＬＡＮ２０との間に、ＩＰ電話機１０を設置するだけで、ＩＰアドレスの追加や変更なしに、ＩＰ電話機１０を設置することができ、そのＩＰ電話機１０を正常に使用することができる。
【００３５】
また、上記実施例によれば、トラヒック多重分離部１４が、ＬＡＮ２０上のＤＨＣＰサーバからＩＰアドレスを取得できるようにしたので、ＤＨＣＰサーバがＩＰアドレスの割り当てを行っているＬＡＮ２０にも、容易に設置することができる。
【００３６】
また、上記実施例によれば、トラヒック多重分離部１４が、第２のＬＡＮインタフェース部１２に接続されているＰＣ３０からのＩＰアドレス取得要求に応答して、第１のＬＡＮインタフェース部１１のＩＰアドレスを通知するので、ＤＨＣＰサーバからＩＰアドレスを割り当てられていたＰＣ３０を、容易に接続することができる。
【００３７】
さらに、上記実施例によれば、トラヒック多重分離部１４が、ＩＰ電話機用のトラヒックを優先的に処理するので、ＩＰ電話機での音声通信の状態を、良好な状態に保つことができる。つまり、ＩＰ電話の音声品質は、伝送遅延とその変動量とに敏感であり、したがって、優先制御をしなければ、他トラヒックの転送が完了するまで、音声トラヒックの転送が待たされ、この結果、伝送遅延の変動量が大きくなり、音声品質が劣化する。そこで、ＩＰ電話機用のトラヒックを優先的に処理することによって、ＩＰ電話機での音声通信の状態を、良好な状態に保つことができる。
【００３８】
また、上記実施例において、ＰＣ３０の代わりに、ＰＣ３０以外のネットワーク機器を接続した場合も、上記と同様である。
【００３９】
上記実施例によれば、ネットワークからネットワークアドレスを取得するとともに、ＩＰ電話機用のトラヒックを分離して処理するので、ネットワークによりネットワークアドレスを割り当てるネットワークにも、容易にＩＰ電話機を設置することができる。すなわち、たとえば、所定のＬＡＮにおいて付与可能なアドレス数が１０個しかなく、既に１０台のＰＣがＬＡＮに接続されている場合、従来例では、ＩＰ電話機に付与可能なアドレスがないので、ＬＡＮに収容することができないが、上記実施例によれば、少なくとも１０台のＩＰ電話機を収容することができる。
【図面の簡単な説明】
【００４０】
【図１】本発明の実施例１であるＩＰ電話機１０を示すブロック図である。
【符号の説明】
【００４１】
１０…ＩＰ電話機、
１１…第１のＬＡＮインタフェース部、
１２…第２のＬＡＮインタフェース部、
１３…ＩＰ電話機機能部、
１４…トラヒック多重分離部、
２０…ＬＡＮ、
３０…ＰＣ３０。
【図１】
2005151058.tif 000003